(57)【要約】【課題】利用者と乗車券（磁気券又は非接触券）との対応を正確に取れるようにする。【解決手段】自動改札機の本体の改札通路を通過方向に沿って入口部、中央部及び出口部に区分し、それら各部内に位置する利用者を検知する人間検知手段と、前記自動改札機の本体で無効券を検出したときに、その自動改札機の本体に設けられているドアを閉じるとともに、その自動改札機の本体に設けられている投入口のシャッタを閉じるとともに、リーダライタの認識処理を中止し、前記出口部、中央部及び入口部の順に利用者を検知し、いずれの部内にも利用者が検知されなくなってから所定時間経過後に、次客の処理を開始する制御手段とを有する。【選択図】      図３
2005011064.tif 000002
【特許請求の範囲】
【請求項１】
自動改札機の本体の改札通路を通過方向に沿って入口部、中央部及び出口部に区分し、それら各部内に位置する利用者を検知する人間検知手段と、
前記自動改札機の本体で無効の磁気券を検出したときに、その自動改札機の本体に設けられているドアを閉じるとともに、その自動改札機の本体に設けられている投入口のシャッタを閉じ、前記出口部、中央部及び入口部の順に利用者を検知し、いずれの部内にも利用者が検知されなくなってから所定時間経過後に、次客の処理を開始する制御手段と、を有することを特徴とする自動改札機。
【請求項２】
自動改札機の本体の改札通路を通過方向に沿って入口部、中央部及び出口部に区分し、それら各部内に位置する利用者を検知する人間検知手段と、
前記自動改札機の本体で無効の非接触券を検出したときに、その自動改札機の本体に設けられているドアを閉じるとともに、その自動改札機の本体における非接触券の認識処理を中止し、前記出口部、中央部及び入口部の順に利用者を検知し、いずれの部内にも利用者が検知されなくなってから所定時間経過後に、次客の処理を開始する制御手段と、を有することを特徴とする自動改札機。
【請求項３】
自動改札機の本体の改札通路を通過方向に沿って入口部、中央部及び出口部に区分し、それら各部内に位置する利用者を検知する人間検知手段と、
前記自動改札機の本体で無効の磁気券又は無効の非接触券を検出したときに、その自動改札機の本体に設けられているドアを閉じるとともに、その自動改札機の本体に設けられている投入口のシャッタを閉じ、かつ、その自動改札機の本体における非接触券の認識し処理を中止し、前記出口部、中央部及び入口部の順に利用者を検知し、いずれの部内にも利用者が検知されなくなってから所定時間経過後に、次客の処理を開始する制御手段と、を有することを特徴とする自動改札機。
【請求項４】
自動改札機の本体の改札通路を通過方向に沿って入口部、中央部及び出口部に区分し、それら各部内に位置する利用者を検知する人間検知手段と、
前記自動改札機の本体で磁気券を処理する前に前記出口部又は中央部で利用者が検知されたときに、その自動改札機の本体に設けられているドアを閉じるとともに、その自動改札機の本体に設けられている投入口のシャッタを閉じ、その出口部、中央部及び入口部の順に利用者を検知し、いずれの部内にも利用者が検知されなくなってから所定時間経過後に、次客の処理を開始する制御手段と、を有することを特徴とする自動改札機。
【請求項５】
自動改札機の本体の改札通路を通過方向に沿って入口部、中央部及び出口部に区分し、それら各部内に位置する利用者を検知する人間検知手段と、
前記自動改札機の本体で非接触券を処理する前に前記出口部又は中央部で利用者が検知されたときに、その自動改札機の本体に設けられているドアを閉じるとともに、その自動改札機の本体における非接触券の認識処理を中止し、その出口部、中央部及び入口部の順に利用者を検知し、いずれの部内にも利用者が検知されなくなってから所定時間経過後に、次客の処理を開始する制御手段と、を有することを特徴とする自動改札機。
【請求項６】
自動改札機の本体の改札通路を通過方向に沿って入口部、中央部及び出口部に区分し、それら各部内に位置する利用者を検知する人間検知手段と、
前記自動改札機の本体で磁気券又は非接触券を処理する前に前記出口部又は中央部で利用者が検知されたときに、その自動改札機の本体に設けられているドアを閉じるとともに、その自動改札機の本体に設けられている投入口のシャッタを閉じ、かつ、その自動改札機の本体における非接触券の認識処理を中止し、その出口部、中央部及び入口部の順に利用者を検知し、いずれの部内にも利用者が検知されなくなってから所定時間経過後に、次客の処理を開始する制御手段と、を有することを特徴とする自動改札機。
【請求項７】
請求項４〜６のいずれかに記載の自動改札機において、出口部及び中央部に利用者が検知されない状態において入口部で利用者が検知されたときに、その自動改札機の本体における乗車券の処理を許可する許可手段を設けたことを特徴とする自動改札機。
【発明の詳細な説明】
【０００１】
【発明の属する技術分野】
本発明は自動改札機に係り、特に、乗車券と利用者との対応が正確にとれるようにしたものに関する。
【０００２】
【従来の技術】
従来、この種の自動改札機は、その自動改札機の本体の改札通路内に位置する利用者（旅客）を検知する人間検知器を有していて、自動改札機の本体で使用された乗車券（本発明で単に「乗車券」というときは、磁気券及び非接触券の両方を含み、その磁気券の中には、普通乗車券、回数券、定期券あるいはストアードフェアカード（ＳＦカード）等のカード類からなる各種乗車券類を含み、そして、非接触券としては、無線通信機能を備えたＩＣカードからなる、定期券データやＳＦカードデータ等の所定のカードデータを記憶している情報記録媒体を指している。）と、その乗車券を使用した利用者とが対応できるように構成されている（特許文献１，２参照）。すなわち、この種の自動改札機は、自動改札機の本体で使用された乗車券の有効又は無効の判定状態及び人間検知器による改札通路内の利用者位置により、その自動改札機の本体の磁気券の投入口のシャッタを開閉制御したり、あるいは、その自動改札機の本体に設けられているリーダライタの非接触券の認識動作を制御するようにしている。
【０００３】
【特許文献１】特開平７−２７２０１６号公報
【特許文献２】特開平８−１６８５５号公報
【０００４】
【発明が解決しようとする課題】
上記特許文献１，２に示される自動改札機は、利用者と乗車券との対応を正確にとることができる特長を有しているが、ラッシュ時のように多くの利用者が次から次へと改札通路へ進入してくる場合は、依然として利用者と乗車券との対応がとれなくなるおそれがあった。例えば、上記特許文献１に係る自動改札機においては、改札通路内に進入した利用者が非接触券を所持しているという前提の下にアルゴリズムが組まれているので、もし改札通路内に進入した利用者が非接触券を所持していない場合、一定時間経過するとシャッタが開かれて後続の利用者の磁気券の投入により、又は非接触券のアンテナへのタッチあるいはかざし（以下、タッチで説明する。）で前客が改札通路を通過してしまうという不都合が発生する。
【０００５】
そこで、本発明は、上記欠点を解決するためになされたものであって、その目的は、ラッシュ時のような場合においても利用者と乗車券との対応を正確にとれるようにした自動改札機を提供することにある。
【０００６】
【課題を解決するための手段】
本発明に係る自動改札機は、上記目的を達成するために、請求項１に記載の発明は、自動改札機の本体の改札通路を通過方向に沿って入口部、中央部及び出口部に区分し、それら各部内に位置する利用者を検知する人間検知手段と、前記自動改札機の本体で無効の磁気券を検出したときに、その自動改札機の本体に設けられているドアを閉じるとともに、その自動改札機の本体に設けられている投入口のシャッタを閉じ、前記出口部、中央部及び入口部の順に利用者を検知し、いずれの部内にも利用者が検知されなくなってから所定時間経過後に、次客の処理を開始する制御手段と、を有することを特徴としている。
本発明の請求項２に記載の自動改札機は、自動改札機の本体の改札通路を通過方向に沿って入口部、中央部及び出口部に区分し、それら各部内に位置する利用者を検知する人間検知手段と、前記自動改札機の本体で無効の非接触券を検出したときに、その自動改札機の本体に設けられているドアを閉じるとともに、その自動改札機の本体における非接触券の認識処理を中止し、前記出口部、中央部及び入口部の順に利用者を検知し、いずれの部内にも利用者が検知されなくなってから所定時間経過後に、次客の処理を開始する制御手段と、を有することを特徴としている。
本発明の請求項３に記載の自動改札機は、自動改札機の本体の改札通路を通過方向に沿って入口部、中央部及び出口部に区分し、それら各部内に位置する利用者を検知する人間検知手段と、前記自動改札機の本体で無効の磁気券又は無効の非接触券を検出したときに、その自動改札機の本体に設けられているドアを閉じるとともに、その自動改札機の本体に設けられている投入口のシャッタを閉じ、かつ、その自動改札機の本体における非接触券の認識し処理を中止し、前記出口部、中央部及び入口部の順に利用者を検知し、いずれの部内にも利用者が検知されなくなってから所定時間経過後に、次客の処理を開始する制御手段と、を有することを特徴としている。
本発明の請求項４に記載の自動改札機は、自動改札機の本体の改札通路を通過方向に沿って入口部、中央部及び出口部に区分し、それら各部内に位置する利用者を検知する人間検知手段と、前記自動改札機の本体で磁気券を処理する前に前記出口部又は中央部で利用者が検知されたときに、その自動改札機の本体に設けられているドアを閉じるとともに、その自動改札機の本体に設けられている投入口のシャッタを閉じ、その出口部、中央部及び入口部の順に利用者を検知し、いずれの部内にも利用者が検知されなくなってから所定時間経過後に、次客の処理を開始する制御手段と、を有することを特徴としている。
本発明の請求項５に記載の自動改札機は、自動改札機の本体の改札通路を通過方向に沿って入口部、中央部及び出口部に区分し、それら各部内に位置する利用者を検知する人間検知手段と、前記自動改札機の本体で非接触券を処理する前に前記出口部又は中央部で利用者が検知されたときに、その自動改札機の本体に設けられているドアを閉じるとともに、その自動改札機の本体における非接触券の認識処理を中止し、その出口部、中央部及び入口部の順に利用者を検知し、いずれの部内にも利用者が検知されなくなってから所定時間経過後に、次客の処理を開始する制御手段と、を有することを特徴としている。
本発明の請求項６に記載の自動改札機は、自動改札機の本体の改札通路を通過方向に沿って入口部、中央部及び出口部に区分し、それら各部内に位置する利用者を検知する人間検知手段と、前記自動改札機の本体で磁気券又は非接触券を処理する前に前記出口部又は中央部で利用者が検知されたときに、その自動改札機の本体に設けられているドアを閉じるとともに、その自動改札機の本体に設けられている投入口のシャッタを閉じ、かつ、その自動改札機の本体における非接触券の認識処理を中止し、その出口部、中央部及び入口部の順に利用者を検知し、いずれの部内にも利用者が検知されなくなってから所定時間経過後に、次客の処理を開始する制御手段と、を有することを特徴としている。
本発明の請求項７に記載の自動改札機は、出口部及び中央部に利用者が検知されない状態において入口部で利用者が検知されたときに、その自動改札機の本体における乗車券の処理を許可する許可手段を設けたことを特徴としている。
【０００７】
【発明の実施の形態】
以下、本発明の実施の形態を図面に基づいて説明する。図１は、一実施の形態に係る自動改札機の本体（以下、「改札機本体」という。）Ｇの改札通路Ｐ側から見た正面図である。この改札機本体Ｇは、磁気券及び非接触券の両方の所定処理（改札機本体Ｇが入場用のときは入場処理、改札機本体Ｇが出場用のときは出場処理を意味している。）ができる、いわゆる兼用型に構成されている。
【０００８】
図１中、１は、図示しない磁気券の投入口であり、改札機本体Ｇを形成する筐体Ｈの入口側（図１の例では右側）の端面上部に設けられている。この投入口１には、図示しないソレノイドで駆動されるその投入口１を開閉するシャッタ１ａが設けられている。また、２は、磁気券を利用者へ返却するための取出口であり、筐体Ｈの上面の出口側（図１の例では左側）寄りに設けられている。この投入口１及び取出口２の間の筐体Ｈ内には、図１では省略されているカードハンドラ（後述の図２参照）が設けられていて、投入口１から投入された磁気券に記録さているデータを読取り、新たなデータを書込み、必要に応じてパンチ孔や印字を行うことができるように構成されている。
【０００９】
図１中、３は、図示しない非接触券のタッチされるアンテナであって、筐体Ｈの上面の入口側寄りに設けられている。このアンテナは、図１では省略されているリーダライタ（後述の図２参照）に接続されている。このリーダライタは、アンテナ３に非接触券がタッチされたときに、その非接触券と改札機本体Ｇとの間でデータ授受が行われて所定の処理ができるように構成されている。なお、本発明において非接触券の認識処理は、上述のデータ授受のうち、少なくとも非接触券に記録されているカードＩＤや定期券データ、あるいはＳＦカードデータ等のカードデータの読取処理を意味している。
【００１０】
図１中、４は、利用者に対して文字により所定の案内を行うための表示画面であって、筐体Ｈの上面の出口側寄りに設けられている。また、５は、筐体Ｈの側面のほぼ中央部に設けられているスピーカであって、利用者に対して所定の音声案内ができるように構成されている。
【００１１】
図１中、Ｄ１  は、筐体Ｈの側面の出口側に設けられた改札通路Ｐを開閉するドアであり、投入口１に投入された磁気券が無効券と判定されたとき、アンテナ３にタッチされた非接触券が無効券と判定されたとき、又は、無札者（磁気券又は非接触券を所持していない利用者を指している。）が改札通路Ｐの所定位置まで進入したときに閉じられるように構成されている。また、Ｄ２  は、筐体Ｈの側面の入口側に設けられたドアであり、改札機本体Ｇが稼動停止しているとき、又は、利用者が逆方向（図１において左側から右側方向）に進入したときに閉じられるように構成されている。
【００１２】
図１中、Ｓ１  〜Ｓ６  ，Ｓ′は、改札通路Ｐ内の利用者を検知するためのセンサであって、このうちセンサＳ１  〜Ｓ６  は、筐体Ｈの側面に所定の間隔を保って設けられた透光式のセンサからなり、センサＳ′は、筐体Ｈの上面の長手方向に沿って設けられたセンサ取付ボックスＨ′内に設けられた反射型のセンサから構成されている。この反射型センサからなるセンサＳ′は、改札通路Ｐの床面から所定高さ以上の物体（利用者）を検知できるように構成されている。したがって、このセンサＳ′で検知された利用者は大人の利用者と判定され、このセンサＳ′で検知されることなくセンサＳ１  〜Ｓ６  のみで利用者が検知されたときは、その利用者は小児（子供）の利用者と判定される。
【００１３】
上記センサＳ１  〜Ｓ６  のうち、センサＳ１  は改札通路の入口近くに、センサＳ２  は改札通路Ｐの中央部と入口とのほぼ中間位置に、センサＳ３  ，Ｓ４  は改札通路Ｐの中央部で、かつ、改札通路Ｐの通過方向に沿って所定の短い間隔を保って、センサＳ５  は改札通路Ｐの中央部と出口側とのほぼ中間位置に、そして、センサＳ６  は改札通路Ｐの出口近くにそれぞれ設けられている。中央部に設けられるセンサＳ３  ，Ｓ４  は、後述する中央部Ｂ内に利用者が位置（存在）していることを検知する以外に、検出順序により利用者の進行方向を検出できる機能を有している。
【００１４】
上記センサＳ１  〜Ｓ６  のうち、センサＳ１  及びセンサＳ２  間は、改札通路Ｐの入口部Ａを形成し、センサＳ２  及びセンサＳ５  間は、改札通路Ｐの中央部Ｂを形成し、また、センサＳ５  及びセンサＳ６  間は、改札通路Ｐの出口部Ｃを形成している。そして、センサＳ１  で利用者が検知され、センサＳ２  で利用者が検知されるまでの間、その利用者は、入口部Ａに位置（存在）していると判定され、センサＳ２  で利用者が検知され、センサＳ５  で利用者が検知されるまでの間、その利用者は、中央部Ｂに位置（存在）していると判定され、センサＳ５  で利用者が検知され、センサＳ６  で利用者が検知されるまでの間、その利用者は、出口部Ｃに位置（存在）していると判定されるように構成されている。
【００１５】
図１中、６は、改札機本体Ｇを統括的に制御する制御器であって、この制御器６は、図２に示されるように、メモリ１０に格納されているシステムプログラム及びワーキングデータを用いて所定の入出場（入場又は出場を意味している。）の演算処理を行う中央処理部（ＣＰＵ）１１を有している。制御器６のＣＰＵ１１は、図示しないＩ／Ｏユニットを介して磁気券を処理するカードハンドラ１２と、ドアＤ１  ，Ｄ２  を駆動制御するドアドライバ１３と、人間検知器を構成するセンサＳ１  〜Ｓ６  ，Ｓ′からの信号を処理するセンサアンプからなる人間検知器ユニット１４と、アンテナ３を介して非接触券に記録されているデータを読取るとともに、新たなデータを書込むためのリーダライタ１５と、投入口１のシャッタ１ａを駆動する図示しないソレノイドを制御するシャッタドライバ１６とが接続されている。なお、ＣＰＵ１１には、表示画面４を駆動制御する表示ドライバ等の機器も接続されているが、ここでは省略されている。
【００１６】
以下、上記構成の改札機本体Ｇの制御動作について図３（ａ）のフローチャートを用いて説明する。今、改札機本体Ｇが稼動中で、磁気券又は非接触券を用いた処理（入場処理又は出場処理）が可能な状態にあるとする（ステップ１００。以下、ステップを「Ｓ」とする。）。この状態において、投入口１に磁気券が投入され、その磁気券に記録されているデータを基にしたＣＰＵ１１の所定の演算処理の結果、有効券と判定されたとする（Ｓ１０２ＹＥＳ（以下、「肯定」する。）、Ｓ１０４肯定）。この場合、その有効券と判定された磁気券の処理が終了するまでの間、次客の乗車券（磁気券又は非接触券）を処理することができないので、投入口１のシャッタ１ａが閉じられるとともに、リーダライタ１５による非接触券の認識処理（読取処理）は禁止（図３では認識ＯＦＦ）される（Ｓ１０６）。そして、その有効な磁気券の利用者が入口部Ａ、中央部Ｂ及び出口部Ｃの順に通過すれば、その利用者に対する一連の処理は終了となる（Ｓ１０８ＮＯ（以下、「否定」という。）、Ｓ１１０否定、Ｓ１１２否定）。この場合、投入された磁気券を利用者へ返却する必要があるときは、その投入された磁気券は取出口２へ排出されて利用者に返却され、返却の必要がないときは、改札機本体Ｇの図示しない集札箱へ回収される。なお、改札通路Ｐ内へは、通常、複数の利用者（例えば二人の利用者）が所定の間隔を保って続いて進入可能なので、前客の利用者の磁気券が有効券と判定されてその磁気券に対する新たな入出場データの書込みが終了すれば、次客の乗車券の処理が可能なので、シャッタ１ａが開になるとともに、リーダライタ１５の読取りが可能となる（図３（ａ）では省略）。
【００１７】
さて、投入口１に投入された磁気券が有効期間切れ等により無効の磁気券と判定されたときは、ドアＤ１  が閉じられて（その無効の磁気券の利用者の前に有効な磁気券又は有効な非接触券の利用者がいるときは、その有効券の利用者が出口部Ｃを通過した後Ｄ１  が閉じられる。）その無効の磁気券の利用者の改札通路Ｐの通過が阻止され、次客の有効な乗車券（磁気券又は非接触券）でその無効の磁気券の利用者が通過できないように投入口１のシャッタ１ａが閉じられるとともに、リーダライタ１５の読取りは禁止される（Ｓ１１４）。次いで、ＣＰＵ１１は、出口部Ｃ、中央部Ｂ及び入口部Ａの順に利用者（無効の磁気券の利用者）が位置していないか否かを判定し、いずれの部分（Ａ，Ｂ，Ｃ）にも利用者が位置していないと判定され（Ｓ１１６否定、Ｓ１１８否定、Ｓ１２０否定）、かつ、所定時間（例えば１秒間）経過後（Ｓ１２２肯定）、無効の磁気券の利用者が改札通路Ｐから完全に退出したと判定して次客の乗車券（磁気券又は非接触券）の処理を再開する。
【００１８】
上述の無効券と判定された磁気券の利用者がドアＤ１  が閉じられたにもかかわらず中央部Ｂ又は出口部Ｃに位置しているときは（Ｓ１１６肯定又はＳ１１８肯定）、その利用者は、強行突破しようとしている利用者と考えられるので、この場合は、表示画面４及びスピーカ５を介して改札通路Ｐを通過できない旨が案内される。この無効の磁気券と判定されたときは、当然、その磁気券は取出口２に排出されて利用者へ返却される。
【００１９】
ところで、磁気券を所持している利用者がその磁気券を投入口１に投入することなく改札通路Ｐ内に進入することがある（Ｓ１０２否定）。この場合、その利用者が出口部Ｃ又は中央部Ｂまで進入したときは（Ｓ２００肯定、又はＳ２０２肯定）、強行突破の可能性がある利用者と判定して、上記Ｓ１１４〜Ｓ１２２（図３（ａ）で処理Ｙとして示されている。）と同様の処理が行われる。また、上述の利用者が入口部Ａにとどまっていて（Ｓ２０４肯定）、磁気券を投入口１に投入したときは（Ｓ２０６肯定）、上記Ｓ１０４〜Ｓ１２２（図３（ａ）で処理Ｘとして示されている。）と同様の処理が行われる。しかし、入口部Ａにおいて磁気券を投入口１に投入することなく、中央部Ｂさらに出口部Ｃまで進入したとき（Ｓ２０６否定、Ｓ２０８肯定、Ｓ２１０肯定）、その利用者は、強行突破の可能性があるので、上記処理Ｙ（Ｓ１１４〜Ｓ１２２）と同様の処理が行われる。
【００２０】
図３（ｂ）は、利用者が改札通路Ｐを逆方向から進入したときにドアＤ２  を閉、シャッタＳ１  を閉及びリーダライタ１５の読取りを禁止するフローチャートを示している。
【００２１】
なお、上述の例は、磁気券の利用者の例を示したが、非接触券の利用者の場合も上述と同様に処理される（図３（ａ），（ｂ）参照）。また、上述の例では、改札機本体Ｇは、磁気券及び非接触券の両方を処理することのできる兼用型の例を示したが、磁気券のみ、又は非接触券のみの専用型であってもよい。
【００２２】
【発明の効果】
本発明の請求項１に記載の自動改札機は、改札機本体の改札通路を通過方向に沿って入口部、中央部及び出口部に区分し、それら各部内に位置する利用者を検知する人間検知手段と、前記改札機本体で無効の磁気券を検出したときに、その改札機本体に設けられているドアを閉じるとともに、その改札機本体に設けられている投入口のシャッタを閉じ、前記出口部、中央部及び入口部の順に利用者を検知し、いずれの部内にも利用者が検知されなくなってから所定時間経過後に、次客の処理を開始する制御手段とを有するので、利用者と磁気券との対応を正確にとることができる。
本発明の請求項２に記載の自動改札機は、改札機本体の改札通路を通過方向に沿って入口部、中央部及び出口部に区分し、それら各部内に位置する利用者を検知する人間検知手段と、前記改札機本体で無効の非接触券を検出したときに、その改札機本体に設けられているドアを閉じるとともに、その改札機本体における非接触券の認識処理を中止し、前記出口部、中央部及び入口部の順に利用者を検知し、いずれの部内にも利用者が検知されなくなってから所定時間経過後に、次客の処理を開始する制御手段とを有するので、利用者と非接触券との対応を正確にとることができる。
本発明の請求項３に記載の自動改札機は、改札機本体の改札通路を通過方向に沿って入口部、中央部及び出口部に区分し、それら各部内に位置する利用者を検知する人間検知手段と、前記改札機本体で無効の磁気券又は無効の非接触券を検出したときに、その改札機本体に設けられているドアを閉じるとともに、その改札機本体に設けられている投入口のシャッタを閉じ、かつ、その改札機本体における非接触券の認識し処理を中止し、前記出口部、中央部及び入口部の順に利用者を検知し、いずれの部内にも利用者が検知されなくなってから所定時間経過後に、次客の処理を開始する制御手段とを有するので、利用者と磁気券又は非接触券との対応を正確にとることができる。
本発明の請求項４に記載の自動改札機は、改札機本体の改札通路を通過方向に沿って入口部、中央部及び出口部に区分し、それら各部内に位置する利用者を検知する人間検知手段と、前記改札機本体で磁気券を処理する前に前記出口部又は中央部で利用者が検知されたときに、その改札機本体に設けられているドアを閉じるとともに、その改札機本体に設けられている投入口のシャッタを閉じ、その出口部、中央部及び入口部の順に利用者を検知し、いずれの部内にも利用者が検知されなくなってから所定時間経過後に、次客の処理を開始する制御手段とを有するので、利用者と磁気券との対応を正確にとることができる。
本発明の請求項５に記載の自動改札機は、改札機本体の改札通路を通過方向に沿って入口部、中央部及び出口部に区分し、それら各部内に位置する利用者を検知する人間検知手段と、前記改札機本体で非接触券を処理する前に前記出口部又は中央部で利用者が検知されたときに、その改札機本体に設けられているドアを閉じるとともに、その改札機本体における非接触券の認識処理を中止し、その出口部、中央部及び入口部の順に利用者を検知し、いずれの部内にも利用者が検知されなくなってから所定時間経過後に、次客の処理を開始する制御手段とを有するので、利用者と非接触券との対応を正確にとることができる。
本発明の請求項６に記載の自動改札機は、改札機本体の改札通路を通過方向に沿って入口部、中央部及び出口部に区分し、それら各部内に位置する利用者を検知する人間検知手段と、前記改札機本体で磁気券又は非接触券を処理する前に前記出口部又は中央部で利用者が検知されたときに、その改札機本体に設けられているドアを閉じるとともに、その改札機本体に設けられている投入口のシャッタを閉じ、かつ、その改札機本体における非接触券の認識処理を中止し、その出口部、中央部及び入口部の順に利用者を検知し、いずれの部内にも利用者が検知されなくなってから所定時間経過後に、次客の処理を開始する制御手段とを有するので、利用者と磁気券又は非接触券との対応を正確にとることができる。
本発明の請求項７に記載の自動改札機は、出口部及び中央部に利用者が検知されない状態において入口部で利用者が検知されたときに、その改札機本体における乗車券の処理を許可する許可手段を設けたので、利用者は改札通路から完全に退出しなくとも乗車券を処理することができる。
【図面の簡単な説明】
【図１】本発明の一実施の形態に係る改札機本体を構成する一対の筐体のうちの一方の筐体を改札通路側から見たときの正面図である。
【図２】制御器のブロック図である。
【図３】（ａ），（ｂ）は、制御動作を示すフローチャートである。
【符号の説明】
Ｇ  自動改札機の本体（改札機本体）
Ｈ  筐体
Ｄ１  ，Ｄ２    ドア
Ｐ  改札通路
Ｈ′  センサ取付ボックス
Ｓ１  〜Ｓ６  ，Ｓ′  センサ（人間検知器）
１  投入口
２  取出口
３  アンテナ
４  表示画面
５  スピーカ
６  制御器
Ａ  入口部
Ｂ  中央部
Ｃ  出口部
【図１】
2005011064.tif 000003
【図２】
2005011064.tif 000004
【図３】
2005011064.tif 000005